(57)【要約】【課題】洗濯処理後の被洗物のふんわり感を、洗濯処理前と同等以上に高められる衣料用の液体洗浄剤組成物。【解決手段】下記（Ａ）成分と下記（Ｂ）成分とを含む衣料用の液体洗浄剤組成物。（Ａ）成分：アルキレンテレフタレート単位及びアルキレンイソフタレート単位からなる群より選択される少なくとも１つの単位と、（ポリ）オキシアルキレン単位とを有する水溶性ポリマー。（Ｂ）成分：特定の（Ｂ−ｉ）成分及び特定の（Ｂ−ｉｉ）成分からなる群より選択される少なくとも１つの成分であり、（Ｂ−ｉ）成分及び（Ｂ−ｉｉ）成分の少なくとも一方を衣料用の液体洗浄剤組成物の総質量に対して、０．００１５〜１質量％含む。【選択図】なし【特許請求の範囲】
【請求項１】
下記（Ａ）成分と下記（Ｂ）成分とを含む衣料用の液体洗浄剤組成物。
（Ａ）成分：アルキレンテレフタレート単位及びアルキレンイソフタレート単位からなる群より選択される少なくとも１つの単位と、（ポリ）オキシアルキレン単位とを有する水溶性ポリマー。
（Ｂ）成分：下記（Ｂ−ｉ）成分及び下記（Ｂ−ｉｉ）成分からなる群より選択される少なくとも１つの成分であり、前記（Ｂ−ｉ）成分及び前記（Ｂ−ｉｉ）成分の少なくとも一方を衣料用の液体洗浄剤組成物の総質量に対して、０．００１５〜１質量％含む。
（Ｂ−ｉ）成分：２，３−ベンゾピロール、３，７−ジメチル−７−ヒドロキシオクタナール、１−（２，６，６−トリメチル−２−シクロヘキセニル）−２−ブテン−１−オン、１−（２，６，６−トリメチル−３−シクロヘキセニル）−２−ブテン−１−オン、１−（２，６，６−トリメチル-1-シクロヘキセニル）−２−ブテン−１−オン、１−（２，６，６−トリメチル−１，３−シクロヘキサジエン−１−イル）−２−ブテン−１−オン、トリクロロメチルフェニルカルバニルアセテート、及び４−メチル−２−（２−メチル−１−プロパニル）テトラヒドロ−２Ｈ−ピランからなる群より選択される少なくとも１つの化合物。
（Ｂ−ｉｉ）成分：下記式（Ｉ）で表される化合物から選択される少なくとも１つの化合物。
Ｙ−Ｓ−Ｇ−Ｑ  ・・・（Ｉ）
（式（Ｉ）中、Ｙは下記化学式（Ｙ−１）〜（Ｙ−７）のいずれかで表される基及びこれらの異性体からなる群より選択される少なくとも１つの基を表す。下記化学式（Ｙ−１）〜（Ｙ−２）中、点線は、点線が設けられている炭素原子間の結合の１つ以上が二重結合であることを意味する。下記化学式（Ｙ−４）中、ｊは５〜２０の整数を表す。下記化学式（Ｙ−１）〜（Ｙ−７）中、波線は、Ｓと結合する結合手を表す。
Ｓは、硫黄原子を表す。
Ｇは、置換基を有していてもよい炭素数２〜１５の直鎖状の炭化水素基又は炭素数２〜１５の分岐鎖状の炭化水素基を表す。
Ｑは、−Ｓ−Ｙで表される基、−ＮＲ１１−Ｙで表される基又は水素原子を表す。ただし、前記−Ｓ−Ｙで表される基におけるＳは硫黄原子であり、Ｙは下記化学式（Ｙ−１）〜（Ｙ−７）のいずれかで表される基及びこれらの異性体からなる群より選択される少なくとも１種の基を表す。前記−ＮＲ１１−Ｙで表される基におけるＮは窒素原子であり、Ｙは前記−Ｓ−Ｙで表される基におけるＹと同じであり、Ｒ１１は水素原子又はメチル基を表す。）
【化１】
2018184552.tif 000011
【請求項２】
（前記（Ａ）成分／前記（Ｂ）成分）で表される質量比が１〜２０００である、請求項１に記載の衣料用の液体洗浄剤組成物。
【請求項３】
さらに下記（Ｃ）成分を含む、請求項１又は２に記載の衣料用の液体洗浄剤組成物。
（Ｃ）成分：下記式（ＩＩ）で表されるノニオン界面活性剤。
Ｒ２１−Ｏ−（Ｒ２２Ｏ）ｎ−Ｈ  ・・・（ＩＩ）
（式（ＩＩ）中、Ｒ２１は分岐鎖を有する炭素数８〜１６のアルキル基、又は炭素数８〜１６の直鎖アルキル基を表し、前記直鎖アルキル基の酸素原子に結合する炭素原子は２級炭素原子である。Ｒ２２は炭素数２〜４のアルキレン基を表す。また、ｎは３〜１０の整数を表す。）
【発明の詳細な説明】
【技術分野】
【０００１】
本発明は、衣料用の液体洗浄剤組成物に関する。
【背景技術】
【０００２】
ダウンジャケット等の羽毛製品は、羽毛が空気を含むことで嵩高さが増し、着用時にボリューム感のあるふんわりとした風合い（以下、単に「ふんわり感」ということもある）を感じることができる。一方、羽毛製品は、洗濯処理によって羽毛が縮んでボリューム感が低下し、その結果、着用時のふんわり感が損なわれるという問題がある。
【０００３】
特許文献１には、洗濯処理後の被洗物に対して、ふんわりとしたボリュームのある触感を付与できる衣料用洗浄剤が記載されている。
特許文献１の発明によれば、特定の繰り返し単位を有するポリマーと、ノニオン界面活性剤と、特定のアニオン界面活性剤とを含有する衣料用洗剤を用いることで、洗濯処理後の被洗物に、ふんわりとしたボリュームのある触感を付与できる。
【先行技術文献】
【特許文献】
【０００４】
【特許文献１】特開２０１６−１１３６０６号公報
【発明の概要】
【発明が解決しようとする課題】
【０００５】
しかしながら、特許文献１の発明は、タオル等の繊維製品のふんわり感を高めることを目的としたものであり、ダウンジャケットのような羽毛製品のふんわり感を高めることについては、何ら考慮されてない。加えて、特許文献１には、洗濯処理を施すことによって、羽毛製品のふんわり感をより高めることについても、何ら考慮されていない。
そこで本発明は、洗濯処理後の被洗物のふんわり感を、洗濯処理前と同等以上に高められる衣料用の液体洗浄剤組成物を目的とする。
【課題を解決するための手段】
【０００６】
本発明は以下の態様を有する。
［１］下記（Ａ）成分と下記（Ｂ）成分とを含む衣料用の液体洗浄剤組成物。
（Ａ）成分：アルキレンテレフタレート単位及びアルキレンイソフタレート単位からなる群より選択される少なくとも１つの単位と、（ポリ）オキシアルキレン単位とを有する水溶性ポリマー。
（Ｂ）成分：下記（Ｂ−ｉ）成分及び下記（Ｂ−ｉｉ）成分からなる群より選択される少なくとも１つの成分であり、下記（Ｂ−ｉ）成分及び下記（Ｂ−ｉｉ）成分の少なくとも一方を、衣料用の液体洗浄剤組成物の総質量に対して、０．００１５〜１質量％含む。
（Ｂ−ｉ）成分：２，３−ベンゾピロール、３，７−ジメチル−７−ヒドロキシオクタナール、１−（２，６，６−トリメチル−２−シクロヘキセニル）−２−ブテン−１−オン、１−（２，６，６−トリメチル−３−シクロヘキセニル）−２−ブテン−１−オン、１−（２，６，６−トリメチル-1-シクロヘキセニル）−２−ブテン−１−オン、１−（２，６，６−トリメチル−１，３−シクロヘキサジエン−１−イル）−２−ブテン−１−オン、トリクロロメチルフェニルカルバニルアセテート、及び４−メチル−２−（２−メチル−１−プロパニル）テトラヒドロ−２Ｈ−ピランからなる群より選択される少なくとも１つの化合物。
（Ｂ−ｉｉ）成分：下記式（Ｉ）で表される化合物から選択される少なくとも１つの化合物。
Ｙ−Ｓ−Ｇ−Ｑ  ・・・（Ｉ）
（式（Ｉ）中、Ｙは下記化学式（Ｙ−１）〜（Ｙ−７）のいずれかで表される基、及びこれらの異性体からなる群より選択される少なくとも１つの基を表す。下記化学式（Ｙ−１）〜（Ｙ−２）中、点線は、点線が設けられている炭素原子間の結合の１つ以上が二重結合であることを意味する。下記化学式（Ｙ−４）中、ｊは５〜２０の整数を表す。下記化学式（Ｙ−１）〜（Ｙ−７）中、波線は、Ｓと結合する結合手を表す。
Ｓは、硫黄原子を表す。
Ｇは、置換基を有していてもよい炭素数２〜１５の直鎖状の炭化水素基又は炭素数２〜１５の分岐鎖状の炭化水素基を表す。
Ｑは、−Ｓ−Ｙで表される基、−ＮＲ１１−Ｙで表される基又は水素原子を表す。ただし、前記−Ｓ−Ｙで表される基におけるＳは硫黄原子であり、Ｙは下記化学式（Ｙ−１）〜（Ｙ−７）のいずれかで表される基、及びこれらの異性体からなる群より選択される少なくとも１種の基を表す。前記−ＮＲ１１−Ｙで表される基におけるＮは窒素原子であり、Ｙは前記−Ｓ−Ｙで表される基におけるＹと同じであり、Ｒ１１は水素原子又はメチル基を表す。）
【０００７】
【化１】
2018184552.tif 000002
【０００８】
［２］（前記（Ａ）成分／前記（Ｂ）成分）で表される質量比が１〜２０００である、［１］に記載の衣料用の液体洗浄剤組成物。
［３］さらに下記（Ｃ）成分を含む、［１］又は［２］に記載の衣料用の液体洗浄剤組成物。
（Ｃ）成分：下記式（ＩＩ）で表されるノニオン界面活性剤。
Ｒ２１−Ｏ−（Ｒ２２Ｏ）ｎ−Ｈ  ・・・（ＩＩ）
（式（ＩＩ）中、Ｒ２１は分岐鎖を有する炭素数８〜１６のアルキル基、又は炭素数８〜１６の直鎖アルキル基を表し、前記直鎖アルキル基の酸素原子に結合する炭素原子は２級炭素原子である。Ｒ２２は炭素数２〜４のアルキレン基を表す。また、ｎは３〜１０の整数を表す。）
［４］さらに水を含む、［１］〜［３］のいずれか一項に記載の衣料用の液体洗浄剤組成物。
［５］［１］〜［４］のいずれか一項に記載の衣料用の液体洗浄剤組成物を用いた、羽毛製品を含む被洗物の洗濯処理方法。
【発明の効果】
【０００９】
本発明の衣料用の液体洗浄剤組成物によれば、洗濯処理後の被洗物のふんわり感を、洗濯処理前と同等以上に高められる。
【発明を実施するための形態】
【００１０】
（衣料用の液体洗浄剤組成物）
本発明の衣料用の液体洗浄剤組成物（以下、単に液体洗浄剤組成物ということがある）は、下記の（Ａ）〜（Ｂ）成分を含有する組成物である。
【００１１】
＜（Ａ）成分＞
（Ａ）成分は、アルキレンテレフタレート単位及びアルキレンイソフタレート単位からなる群より選択される少なくとも１つの単位（以下、（ａ１）単位ともいう）と、（ポリ）オキシアルキレン単位（以下、（ａ２）単位ともいう）とを有する水溶性ポリマーである。液体洗浄剤組成物が（Ａ）成分を含むことで、洗濯処理後の被洗物のふんわり感を、洗濯処理前と同等以上に高めることができる。その理由としては、（Ａ）成分が被洗物の繊維に吸着することで、繊維一本一本の形状を保持し、繊維のかさ高さが維持されるためであると考えられる。
ここで、「水溶性」とは、１０００ｇの水（４０℃）に１０ｇの試料を加え、１２時間、スターラー（太さ：８ｍｍ、長さ５０ｍｍ）で攪拌（２００ｒｐｍ）した場合に、溶解するものをいう。
【００１２】
（ａ１）単位は、アルキレンテレフタレート単位及びアルキレンイソフタレート単位からなる群より選択される少なくとも１つの単位である。
アルキレンテレフタレート単位は、下記式（ａ１−１）で表される単位である。
【００１３】
【化２】
2018184552.tif 000003
【００１４】
式（ａ１−１）中、Ｒ３１は炭素数１〜４のアルキレン基である。Ｒ３１の炭素数は２〜４が好ましい。
アルキレンテレフタレート単位としては、例えば、エチレンテレフタレート単位、ｎ−プロピレンテレフタレート単位、イソプロピレンテレフタレート単位、ｎ−ブチレンテレフタレート単位、イソブチレンテレフタレート単位、ｓｅｃ−ブチレンテレフタレート単位、ｔｅｒｔ−ブチレンテレフタレート単位等が挙げられる。これらの中でも、イソプロピレンテレフタレート単位が好ましい。
（Ａ）成分には、これらアルキレンテレフタレート単位が１種単独で含まれていてもよく、２種以上が含まれていてもよい。
【００１５】
アルキレンイソフタレート単位は、下記式（ａ１−２）で表される単位である。
【００１６】
【化３】
2018184552.tif 000004
【００１７】
式（ａ１−２）中、Ｒ４１は炭素数１〜４のアルキレン基である。Ｒ４１の炭素数は２〜４が好ましい。
アルキレンイソフタレート単位としては、例えば、エチレンイソフタレート単位、ｎ−プロピレンイソフタレート単位、イソプロピレンイソフタレート単位、ｎ−ブチレンイソフタレート単位、ｓｅｃ−ブチレンイソフタレート単位、ｔｅｒｔ−ブチレンイソフタレート単位等が挙げられる。これらの中でも、イソプロピレンイソフタレート単位が好ましい。
（Ａ）成分には、これらアルキレンイソフタレート単位が１種単独で含まれていてもよく、２種以上が含まれていてもよい。
【００１８】
（Ａ）成分は、（ａ１）単位として、アルキレンテレフタレート単位及びアルキレンイソフタレート単位の双方を有していてもよく、アルキレンテレフタレート単位及びアルキレンイソフタレート単位のいずれか一方のみを有していてもよい。（Ａ）成分としては、アルキレンテレフタレート単位及びアルキレンイソフタレート単位の双方を有していることがより好ましい。
【００１９】
（ポリ）オキシアルキレン単位（（ａ２）単位）は、モノオキシアルキレン単位とポリオキシアルキレン単位との総称である。
（ａ２）単位は、下記式（ａ２−１）で表される。
【００２０】
−（Ｒ５１Ｏ）ｓ−  ・・・（ａ２−１）
【００２１】
式（ａ２−１）中、Ｒ５１は炭素数１〜４のアルキレン基を表す。Ｒ５１の炭素数は２〜４が好ましい。
ｓは１〜１００の整数であり、１〜８０が好ましく、１〜５０がより好ましい。
【００２２】
（ａ２）単位としては、オキシエチレン単位、ポリオキシエチレン単位、オキシプロピレン単位、ポリオキシプロピレン単位、ポリオキシエチレンポリオキシプロピレン単位等が挙げられ、オキシエチレン単位又はポリオキシエチレン単位が好ましい。
（Ａ）成分には、これら（ａ２）単位が１種単独で含まれていてもよく、２種以上が含まれていてもよい。
【００２３】
（Ａ）成分は、（ａ１）単位と（ａ２）単位とを有するものであればよく、ランダム共重合体であってもよいし、ブロック共重合体であってもよい。このうち、（Ａ）成分としては、ブロック共重合体が好ましい。
（Ａ）成分は、（ａ１）単位及び（ａ２）単位以外の単位（例えば、重合開始剤、重合停止剤等に由来する単位、その他、（ａ１）単位又は（ａ２）単位と重合可能な単位）を含んでいてもよい。ただし、（Ａ）成分における（ａ１）単位と（ａ２）単位との合計は８０モル％以上が好ましく、９０モル％以上がより好ましい。
【００２４】
（Ａ）成分としては、例えば、下記一般式（Ａ１）又は下記一般式（Ａ２）で表される化合物が挙げられる。
【００２５】
【化４】
2018184552.tif 000005
【００２６】
式（Ａ１）式中、Ｚ１はそれぞれ独立して、水素原子又はメチル基であり、好ましくは共にメチル基である。
Ｒ６１及びＲ６２はそれぞれ独立して、炭素数２〜４のアルキレン基、好ましくは炭素数２〜３のアルキレン基である。
ｘ１は、構成単位の平均繰り返し数を表す０〜１０の数であり、０．５〜５が好ましく、０．５〜２．５がより好ましい。上記下限値以上であれば、洗濯処理後の被洗物のふんわり感がより高まりやすい。上記上限値以下であれば、液体洗浄剤の水への溶解性がより高まる。
ｙ１は、（Ｒ６１Ｏ）の平均繰り返し数を表す数であり、それぞれ独立して１〜１００が好ましく、1〜８０がより好ましく、１〜５０がさらに好ましく、１０〜５０が特に好ましく、２０〜３０が最も好ましい。上記下限値以上であれば、洗濯処理後の被洗物のふんわり感がより高まりやすい。上記上限値以下であれば、液体洗浄剤の水への溶解性がより高まる。
式（Ａ１）中、ｘ１とｙ１との比率（ｘ１：ｙ１）は、１：５〜１：２０が好ましく、１：８〜１：１８がより好ましい。（ｘ１：ｙ１）が上記範囲内であれば、洗濯処理後の被洗物のふんわり感がより高まりやすく、かつ水に対する溶解性がより向上しやすくなる。
【００２７】
【化５】
2018184552.tif 000006
【００２８】
式（Ａ２）中、Ｚ２はそれぞれ独立して、水素原子又はメチル基であり、好ましくは共にメチル基である。
Ｒ６３及びＲ６４はそれぞれ独立して、炭素数２〜４のアルキレン基、好ましくは炭素数２〜３のアルキレン基である。
ｘ２は、構成単位の平均繰り返し数を表す０〜１０の数であり、０．５〜５が好ましく、０．５〜２．５がより好ましい。上記下限値以上であれば、洗濯処理後の被洗物のふんわり感がより高まりやすい。上記上限値以下であれば、液体洗浄剤の水への溶解性がより高まる。
ｙ２は、（Ｒ６３Ｏ）の平均繰り返し数を表す数であり、それぞれ独立して１〜１００が好ましく、1〜８０がより好ましく、１〜５０がさらに好ましく、１０〜５０が特に好ましく、２０〜３０が最も好ましい。上記下限値以上であれば、洗濯処理後の被洗物のふんわり感がより高まりやすい。上記上限値以下であれば、液体洗浄剤の水への溶解性がより高まる。
式（Ａ２）式中、ｘ２とｙ２との比率（ｘ２：ｙ２）は、１：５〜１：２０が好ましく、１：８〜１：１８がより好ましい。（ｘ２：ｙ２）が上記範囲内であれば、洗濯処理後の被洗物のふんわり感がより高まりやすく、かつ水に対する溶解性がより向上しやすくなる。      
【００２９】
（Ａ）成分の質量平均分子量は５００〜１００００が好ましい。質量平均分子量が上記範囲内であれば、水への溶解分散性が向上し、かつ羽毛製品などの疎水性繊維の吸水性がより向上しやすく、液体洗浄剤組成物の液外観が良好になりやすい。
（Ａ）成分の質量平均分子量の下限値は、８００以上がより好ましく、１０００以上がさらに好ましい。
（Ａ）成分の質量平均分子量の上限値は、９０００以下がより好ましく、８０００以下がさらに好ましい。
従って、（Ａ）成分の質量平均分子量は、８００〜９０００がより好ましく、１０００〜８０００がさらに好ましい。
【００３０】
（Ａ）成分の質量平均分子量は、溶媒としてＴＨＦ（テトラヒドロフラン）を用いてＧＰＣ（ゲルパーミネーションクロマトグラフィー）により測定した値を、ＰＥＧ（ポリエチレングリコール）を較正曲線に用いて換算した値である。
【００３１】
（Ａ）成分は、市場において容易に入手される。また、（Ａ）成分は、各種の刊行物等に記載された方法により合成されてもよい。（Ａ）成分の製造方法が記載された刊行物としては、例えば、Ｊｏｕｒｎａｌ  ｏｆ  Ｐｏｌｙｍｅｒ  Ｓｃｉｅｎｃｅ，第３巻，６０９〜６３０ページ（１９４８年）、Ｊｏｕｒｎａｌ  ｏｆ  Ｐｏｌｙｍｅｒ  Ｓｃｉｅｎｃｅ，第８巻，１〜２２ページ（１９５１年）、特開昭６１−２１８６９９号公報等が挙げられる。
（Ａ）成分の市販品としては、例えば、ＴｅｘＣａｒｅ（登録商標）  ＳＲＮ−１００（商品名、クラリアントジャパン株式会社製、質量平均分子量：２０００〜３０００）や、ＴｅｘＣａｒｅ  ＳＲＮ−３００（商品名、クラリアントジャパン株式会社製、質量平均分子量：７０００）、Ｒｅｐｅｌ−Ｏ−Ｔｅｘ（登録商標）  Ｃｒｙｓｔａｌ（商品名、ローディア社製、質量平均分子量：未定）、Ｒｅｐｅｌ−Ｏ−Ｔｅｘ  ＱＣＬ（商品名、ローディア社製、質量平均分子量：未定）等が挙げられる。これらの中では、水への溶解性が高く、保存後の洗浄性能の低下が少ないＴｅｘＣａｒｅ  ＳＲＮ−１００が好ましい。特に好ましくは、ＴｅｘＣａｒｅ  ＳＲＮ−１００の７０質量％水溶液であり、この市販品としては、ＴｅｘＣａｒｅ  ＳＲＮ−１７０Ｃ（商品名、クラリアントジャパン株式会社製）が挙げられる。
【００３２】
液体洗浄剤組成物中の（Ａ）成分の含有量は、液体洗浄剤組成物の総質量に対して、０．００１〜５質量％が好ましく、０．１〜２質量％がより好ましく、０．３〜１質量％が特に好ましい。（Ａ）成分の含有量が上記下限値以上であれば、洗濯処理後の被洗物のふんわり感をより高めやすい。上記上限値以下であれば、液体洗浄剤組成物の分離、析出、白濁が生じにくくなる（液安定性を高められる）。
【００３３】
＜（Ｂ）成分＞
（Ｂ）成分は、下記（Ｂ−ｉ）成分及び下記（Ｂ−ｉｉ）成分からなる群より選択される少なくとも１つの成分である。液体洗浄剤は、下記（Ｂ−ｉ）成分及び下記（Ｂ−ｉｉ）成分の少なくとも一方を液体洗浄剤組成物の総質量に対して、０．００１５〜１質量％含む。（Ｂ）成分を含むことによって、被洗物を着用した際に香気を感じることができ、ふんわりとした風合いの実感がより高まる。
【００３４】
［（Ｂ−ｉ）成分］
（Ｂ−ｉ）成分は、２，３−ベンゾピロール、３，７−ジメチル−７−ヒドロキシオクタナール、１−（２，６，６−トリメチル−２−シクロヘキセニル）−２−ブテン−１−オン、１−（２，６，６−トリメチル−３−シクロヘキセニル）−２−ブテン−１−オン、１−（２，６，６−トリメチル-1-シクロヘキセニル）−２−ブテン−１−オン、１−（２，６，６−トリメチル−１，３−シクロヘキサジエン−１−イル）−２−ブテン−１−オン、トリクロロメチルフェニルカルバニルアセテート、及び４−メチル−２−（２−メチル−１−プロパニル）テトラヒドロ−２Ｈ−ピランからなる群より選択される少なくとも１つの化合物である。（Ｂ−ｉ）成分は香料であり、被洗物に香気を付与できる。
（Ｂ）成分が（Ｂ−ｉ）成分を含む場合、その含有量は、前記液体洗浄剤組成物の総質量に対して、０．００１５〜１質量％であり、０．００１５〜０．２質量％が好ましく、０．００２〜０．１質量％がより好ましく、０．００５〜０．０５質量％が特に好ましい。上記範囲内であれば、香気が強くなりすぎず、着用時にふんわりとした風合いをより実感できる。
（Ｂ）成分が（Ｂ−ｉ）成分を含むことで、被洗物を着用した際、すぐに香気を感じることができ、ふんわり感をより実感しやすくなる。
【００３５】
（Ｂ−ｉ）成分としては、ふんわり感をより実感しやすい点から、上記化合物の中でも、１−（２，６，６−トリメチル−３−シクロヘキセニル）−２−ブテン−１−オン、１−（２，６，６−トリメチル−１−シクロヘキセニル）−２−ブテン−１−オン、１−（２，６，６−トリメチル−１，３−シクロヘキサジエン−１−イル）−２−ブテン−１−オン、トリクロロメチルフェニルカルバニルアセテートが好ましく、１−（２，６，６−トリメチル−３−シクロヘキセニル）−２−ブテン−１−オン、１−（２，６，６−トリメチル−１−シクロヘキセニル）−２−ブテン−１−オンがより好ましく、１−（２，６，６−トリメチル−３−シクロヘキセニル）−２−ブテン−１−オンが特に好ましい。
（Ｂ−ｉ）成分は、１種単独で用いられてもよく、２種以上が組み合わされて用いられてもよい。
【００３６】
［（Ｂ−ｉｉ）成分］
（Ｂ−ｉｉ）成分は、下記式（Ｉ）で表される化合物から選択される少なくとも１つの化合物である。（Ｂ−ｉｉ）成分は香料前駆体である。香料前駆体とは、それ自体は無臭又は無臭に近いものであるが、液体洗浄剤組成物中又は繊維上で酸化反応等をすることによって香りを発生する成分である。
【００３７】
Ｙ−Ｓ−Ｇ−Ｑ  ・・・（Ｉ）
（式（Ｉ）中、Ｙは下記化学式（Ｙ−１）〜（Ｙ−７）のいずれかで表される基、及びこれらの異性体からなる群より選択される少なくとも１つの基を表す。下記化学式（Ｙ−１）〜（Ｙ−２）中、点線は、点線が設けられている炭素原子間の結合の１つ以上が二重結合であることを意味する。下記化学式（Ｙ−４）中、ｊは５〜２０の整数を表す。下記化学式（Ｙ−１）〜（Ｙ−７）中、波線は、Ｓと結合する結合手を表す。
Ｓは、硫黄原子を表す。
Ｇは、置換基を有していてもよい炭素数２〜１５の直鎖状の炭化水素基又は炭素数２〜１５の分岐鎖状の炭化水素基を表す。
Ｑは、−Ｓ−Ｙで表される基、−ＮＲ１１−Ｙで表される基又は水素原子を表す。ただし、前記−Ｓ−Ｙで表される基におけるＳは硫黄原子であり、Ｙは下記化学式（Ｙ−１）〜（Ｙ−７）のいずれかで表される基、及びこれらの異性体からなる群より選択される少なくとも１種の基を表す。前記−ＮＲ１１−Ｙで表される基におけるＮは窒素原子であり、Ｙは前記−Ｓ−Ｙで表される基におけるＹと同じであり、Ｒ１１は水素原子又はメチル基を表す。）
【００３８】
【化６】
2018184552.tif 000007
【００３９】
式（Ｉ）中、Ｇは置換基を有していてもよい炭素数２〜１５の直鎖状の炭化水素基又は炭素数２〜１５の分岐鎖状の炭化水素基を表し、炭素数１０〜１４の直鎖状のアルキル基もしくは炭素数１０〜１４の分岐鎖状のアルキル基、又は炭素数１０〜１４の直鎖状のアルケニル基もしくは炭素数１０〜１４の分岐鎖状のアルケニル基から誘導される２価又は３価の基が好ましい。前記２価又は３価の基は、−ＯＲ１２基、−ＮＲ１２２基、−ＣＯＯＲ１２基、及びＲ１２基からなる群より選択される少なくとも１つの基により置換されていてもよい。また、前記Ｒ１２は、水素原子、炭素数１〜６のアルキル基又は炭素数１〜６アルケニル基を表す。
化学式（Ｙ−１）〜（Ｙ−７）の各式で表される異性体とは、各基が化学構造上取りうる異性体、例えば、立体異性体のことを指す。
（Ｂ−ｉｉ）成分は１種単独で用いられてもよく、２種以上が組み合わされて用いられてもよい。
【００４０】
式（Ｉ）で表される化合物としては、着用時のふんわり感をより実感しやすくなる点から、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプト−６−エン−３−オン、及び３−（ドデシルチオ）−５−イソプロペニル−２−メチルシクロヘキサノンからなる群から選択される少なくとも１つの化合物が好ましい。
また、香りの持続性がより高まる観点から、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、及び３−（ドデシルチオ）−５−イソプロペニル−２−メチルシクロヘキサノンからなる群より選択される少なくとも１つの化合物がより好ましく、３−（ドデシルチオ）−１−（２，６，６−トリメチルシクロヘキサ−３−エン−１−イル）−１−ブタノン、及び４−（ドデシルチオ）−４−（２，６，６−トリメチルシクロヘキサ−２−エン−１−イル）−２−ブタノンからなる群より選択される少なくとも１つの化合物が特に好ましい。
【００４１】
（Ｂ）成分が（Ｂ−ｉｉ）成分を含む場合、その含有量は、液体洗浄剤組成物の総質量に対して、０．００１５〜１質量％であり、０．００１５〜０．１質量％が好ましく、０．００１５〜０．０５質量％がより好ましい。上記範囲内であれば、香気が強くなりすぎず、着用時のふんわり感をより実感できる。
また、（Ｂ）成分が（Ｂ−ｉｉ）成分を含むことにより、洗濯処理後の被洗物から長期間香気を感じることができ、その結果、ふんわり感が持続しやすくなる。
【００４２】
（Ｂ）成分には、（Ｂ−ｉｉ）成分が含まれていることが好ましく、（Ｂ−ｉ）成分と（Ｂ−ｉｉ）成分の両方が含まれていることがより好ましい。
液体洗浄剤組成物が（Ｂ−ｉ）成分と（Ｂ−ｉｉ）成分と併有する場合、その質量比（（Ｂ−ｉ）成分／（Ｂ−ｉｉ）成分）は、０．０２〜１００が好ましく、０．１〜５０がより好ましい。（Ｂ−ｉ）成分と（Ｂ−ｉｉ）成分の質量比が上記範囲内であれば、ふんわり感をより実感しやすくなり、かつ前記効果が長期間持続しやすくなる。
【００４３】
液体洗浄剤組成物中の（Ｂ）成分の含有量は、液体洗浄剤組成物の総質量に対して、０．００１５〜１質量％が好ましく、０．００１５〜０．１質量％がより好ましい。（Ｂ）成分の含有量が上記範囲内であれば、被洗物へ香気を付与しやすくなり、着用時のふんわり感をより実感しやすくなる。
【００４４】
液体洗浄剤組成物中の（Ａ）成分と（Ｂ）成分の質量比（（Ａ）成分／（Ｂ）成分）は、１〜２０００が好ましく、１０〜１８００がより好ましく、５０〜１５００がさらに好ましい。（Ａ）成分と（Ｂ）成分の質量比が上記範囲内であれば、洗濯処理後の被洗物のふんわり感をより実感しやすくなる。
【００４５】
＜（Ｃ）成分＞
（Ｃ）成分は、下記式（ＩＩ）で表されるノニオン界面活性剤である。（Ｃ）成分を含むことにより、（Ａ）成分及び（Ｂ）成分が繊維（羽毛等）に浸透しやすくなり、ふんわり感がより向上しやすくなる。
Ｒ２１−Ｏ−（Ｒ２２Ｏ）ｎ−Ｈ  ・・・（ＩＩ）
（式（ＩＩ）中、Ｒ２１は分岐鎖を有する炭素数８〜１６のアルキル基、又は炭素数８〜１６の直鎖アルキル基を表し、前記直鎖アルキル基の酸素原子に結合する炭素原子は２級炭素原子である。Ｒ２２は炭素数２〜４のアルキレン基を表す。また、ｎは３〜１０の整数を表す。）
【００４６】
式（ＩＩ）中、Ｒ２１は、分岐鎖を有する炭素数８〜１６のアルキル基が好ましい。
Ｒ２２としては、オキシエチレン基、オキシプロピレン基、オキシブチレン基が挙げられ、このうち、液安定性の観点から、オキシエチレン基、又はオキシプロピレン基が好ましい。
ｎは、Ｒ２２Ｏの平均繰り返し数であり、３〜１０の数がより好ましい。
式（ＩＩ）で表される界面活性剤の具体例としては、例えば、ポリオキシエチレンアルキルエーテル（Ｒ２１の炭素数が１３、ｎが７）が挙げられる。
（Ｃ）成分としては、市販品を使用してもよい。市販品としては、例えば、三菱化学株式会社製のダイヤドール（登録商標）（商品名、Ｃ１３（Ｃは炭素数を示す。以下同様。））、Ｓｈｅｌｌ社製のＮｅｏｄｏｌ（登録商標）（商品名、Ｃ１２とＣ１３との混合物）、Ｓａｓｏｌ社製のＳａｆｏｌ（登録商標）２３（商品名、Ｃ１２とＣ１３との混合物）、ＥＸＸＡＬ（登録商標）１３（商品名、Ｃ１３）等のアルコールに対して、３〜１０モル相当のエチレンオキシドを付加したもの；ブテンを３量化して得られるＣ１２アルケンをオキソ法に供して得られるＣ１３アルコールに対して、３又は５モル相当、もしくは７モル相当のエチレンオキシドを付加したもの（商品名：Ｌｕｔｅｎｓｏｌ（登録商標）  ＴＯ３、Ｌｕｔｅｎｓｏｌ  ＴＯ５、Ｌｕｔｅｎｓｏｌ  ＴＯ７、ＢＡＳＦ社製）；ペンタノールをガーベット反応に供して得られるＣ１０アルコールに対して、９モル相当のエチレンオキシドを付加したもの（商品名：Ｌｕｔｅｎｓｏｌ  ＸＰ９０、ＢＡＳＦ社製）；ペンタノールをガーベット反応に供して得られるＣ１０アルコールに対して、７モル相当のエチレンオキシドを付加したもの（商品名：Ｌｕｔｅｎｓｏｌ  ＸＬ７０、ＢＡＳＦ社製）；ペンタノールをガーベット反応に供して得られるＣ１０アルコールに対して、６モル相当のエチレンオキシドを付加したもの（商品名：Ｌｕｔｅｎｓｏｌ  ＸＡ６０、ＢＡＳＦ社製）；炭素数１２〜１４の第２級アルコールに対して、３モル相当、５モル相当、７モル相当又は９モル相当のエチレンオキシドを付加したもの（商品名：ソフタノール（登録商標）３０、ソフタノール５０、ソフタノール７０、ソフタノール９０）等が挙げられる。
これらのうち、羽毛製品の繊維への浸透のしやすさの観点から、（Ｃ）成分としては、式（ＩＩ）で表されるノニオン界面活性剤において、Ｒ２１の炭素数が１３、ｎが７であるものがより好ましい。
これらの（Ｃ）成分は、１種単独で用いられてもよく、２種以上が組み合わされて用いられてもよい。
【００４７】
液体洗浄剤組成物中の（Ｃ）成分の含有量は、液体洗浄剤組成物の総質量に対して、０．１〜２０質量％が好ましく、１〜１５質量％がより好ましく、３〜１０質量％がさらに好ましい。（Ｃ）成分の含有量が上記範囲内であれば、（Ａ）成分及び（Ｂ）成分の繊維に対する浸透力が良好になりやすく、かつ液安定性も良好となりやすい。
【００４８】
＜任意成分＞
本発明の液体洗浄剤組成物は、必要に応じて、本発明の効果を損なわない範囲で、上記（Ａ）〜（Ｃ）成分以外の任意成分を含有することができる。
任意成分としては、例えば、水（分散媒）、（Ｃ）成分以外の界面活性剤（任意界面活性剤）、機能付与剤、水混和性有機溶剤、安定化剤、金属イオン捕捉剤、酸化防止剤、防腐剤、酵素、（Ｂ）成分以外の着香剤、着色剤、乳濁剤、天然エキス、ｐＨ調整剤、洗浄性能向上剤・安定性向上剤等が挙げられる。
【００４９】
液体洗浄剤組成物の総量に対する水の含有量は、例えば、２５〜８５質量％が好ましく、３０〜８０質量％がより好ましい。
【００５０】
＜任意界面活性剤＞
任意界面活性剤は、洗浄成分であり、液体洗浄剤組成物において公知の界面活性剤を用いることができる。任意界面活性剤としては、例えば、（Ｃ）成分以外のノニオン界面活性剤、カチオン界面活性剤、アニオン界面活性剤、両性界面活性剤等が挙げられる。
【００５１】
［（Ｃ）成分以外のノニオン界面活性剤］
（Ｃ）成分以外のノニオン界面活性剤（以下、「（Ｄ）成分」ということもある）としては、本発明の効果を有する限り特に限定されない。例えば、脂肪酸アルキルエステル、高級アルコール（炭素数８〜２２のアルコール）、アルキルフェノール、高級脂肪酸（炭素数８〜２２の脂肪酸）、高級脂肪酸アルキルエステル（炭素数８〜２２の脂肪酸残基を有するエステル）又は高級アミン（炭素数８〜２２のアルキル基を有するアミン）等のアルキレンオキシド付加体、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキルアミンオキシド、アルケニルアミンオキシド、硬化ヒマシ油のアルキレンオキシド付加体、糖脂肪酸エステル、Ｎ−アルキルポリヒドロキシ脂肪酸アミド、アルキルグルコシド等が挙げられる。中でも、下記一般式（ｄ１）で表されるポリオキシアルキレン型ノニオン界面活性剤（以下、「（ｄ１）成分」ということがある。）が好ましい。
【００５２】
Ｒ７１−Ｊ−（ＥＯ）ｐ（ＰＯ）ｑ−Ｒ７２  ・・・（ｄ１）
【００５３】
式（ｄ１）中、Ｒ７１は、炭素数８〜２２の炭化水素基を表し、Ｒ７２は、水素原子、炭素数１〜６のアルキル基又は炭素数２〜６のアルケニル基を表す。
Ｊは、−Ｏ−、−ＣＯＯ−、−ＣＯＮＨ−等の官能基を表す。
ＥＯはオキシエチレン基を表し、ＰＯはオキシプロピレン基を表す。
ｐは、ＥＯの平均繰り返し数（即ち、エチレンオキシドの平均付加モル数）を表す３〜２０の数である。
ｑは、ＰＯの平均繰り返し数（即ち、プロピレンオキシドの平均付加モル数）を表す０〜６の数である。ただし、上記式（ｄ１）で表されるポリオキシアルキレン型ノニオン界面活性剤には、上記式（ＩＩ）で表されるノニオン界面活性剤（（Ｃ）成分）は含まれない。
【００５４】
Ｒ７１の炭素数は８〜２２であり、好ましくは１０〜１８である。炭素数が上記範囲内であれば、液体洗浄剤組成物の洗浄力がより高まる。
Ｒ７１は、不飽和結合を有していてもよく、有していなくてもよい。
Ｒ７１としては、アルキル基又はアルケニル基が好ましい。
また、Ｒ７１は、直鎖であっても分岐鎖であってもよい。
Ｒ７１としては、１級又は２級の高級アルコール、高級脂肪酸、高級脂肪酸アミド等に由来する炭化水素基が挙げられる。
Ｒ７２は、水素原子、炭素数１〜６のアルキル基又は炭素数２〜６のアルケニル基である。
Ｒ７２がアルキル基である場合、Ｒ７２の炭素数は１〜３が好ましい。
Ｒ７２がアルケニル基である場合、Ｒ７２の炭素数は２〜３が好ましい。
【００５５】
式（ｄ１）中、Ｊが−Ｏ−の場合、（ｄ１）成分は、アルキルエーテル型ノニオン界面活性剤である。
Ｊが−Ｏ−の場合、洗浄力向上の観点から、Ｒ７１は、炭素数１０〜２０の直鎖状アルキル基もしくは炭素数１０〜２０の分岐鎖状のアルキル基、又は炭素数１０〜２０の直鎖状のアルケニル基もしくは炭素数１０〜２０の分岐鎖状のアルケニル基が好ましく、炭素数１０〜１８の直鎖状のアルキル基もしくは炭素数１０〜１８の分岐鎖状のアルキル基、又は炭素数１０〜１８の直鎖状のアルケニル基もしくは炭素数１０〜１８の分岐鎖状のアルケニル基がより好ましい。Ｊが−Ｏ−の場合、Ｒ７２は水素原子が好ましい。
式（ｄ１）中、Ｊが−ＣＯＯ−の場合、（ｄ１）成分は脂肪酸エステル型ノニオン界面活性剤である。
Ｊが−ＣＯＯ−の場合、洗浄力向上の観点から、Ｒ７１は、炭素数９〜２１の直鎖状のアルキル基もしくは炭素数９〜２１の分岐鎖状のアルキル基、又は炭素数９〜２１の直鎖状のアルケニル基もしくは炭素数９〜２１の分岐鎖状のアルケニル基が好ましく、炭素数１１〜１７の直鎖状のアルキル基もしくは炭素数１１〜１７の分岐鎖状のアルキル基、又は炭素数１１〜１７の直鎖状のアルケニル基もしくは炭素数１１〜１７の分岐鎖状のアルケニル基がより好ましい。Ｊが−ＣＯＯ−の場合、Ｒ７２は、炭素数１〜３のアルキル基が好ましい。
【００５６】
ｐは、３〜２０の数であり、５〜１８の数が好ましい。ｐが前記上限値以下であれば、ＨＬＢ値が高くなりすぎず、洗浄力が低下しにくい。ｐが前記下限値以上であれば、（ｄ１）成分自体の原料に由来する臭気が発生しにくい。
ｑは、０〜６の数であり、０〜３の数が好ましい。ｑが前記上限値以下であれば、高温条件下での保存安定性が低下しにくい。
「−（ＥＯ）ｐ（ＰＯ）ｑ−」において、ＥＯとＰＯとは、混在していてもよく（ランダム付加体）、ブロック状に付加していてもよい（ブロック付加体）。
（ｄ１）成分において、ＥＯ又はＰＯの繰り返し数の分布は、本発明の効果を有する限り特に限定されない。（ｄ１）成分において、ＥＯ又はＰＯの繰り返し数の分布は、（ｄ１）成分を製造する際の反応方法によって変動しやすい。
ＥＯ又はＰＯの繰り返し数の分布は、例えば、水酸化ナトリウム、水酸化カリウム等の一般的なアルカリ触媒を用いて、エチレンオキシド又はプロピレンオキシドを原料（１級又は２級の高級アルコール、高級脂肪酸、高級脂肪酸アミド等）に付加させた際には、比較的広い分布となる傾向にある。
ＥＯ又はＰＯの繰り返し数の分布は、例えば、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを原料に付加させた際には、比較的狭い分布となる傾向にある。
【００５７】
（ｄ１）成分としては、市販品を使用してもよい。市販品としては、例えば、三菱化学株式会社製のダイヤドール（商品名、Ｃ１３（Ｃは炭素数を示す。以下同様。））、Ｓｈｅｌｌ社製のＮｅｏｄｏｌ（商品名、Ｃ１２とＣ１３との混合物）、Ｓａｓｏｌ社製のＳａｆｏｌ  ２３（商品名、Ｃ１２とＣ１３との混合物）等のアルコールに対して、１２モル相当、又は１５モル相当のエチレンオキシドを付加したもの；プロクター・アンド・ギャンブル社製のＣＯ−１２１４又はＣＯ−１２７０（商品名）等の天然アルコールに対して、１２モル相当又は１５モル相当のエチレンオキシドを付加したもの；ブテンを３量化して得られるＣ１２アルケンをオキソ法に供して得られるＣ１３アルコールに対して、１２モル相当又は１５モル相当のエチレンオキシドを付加したもの（商品名：Ｌｕｔｅｎｓｏｌ  ＴＯ１２、Ｌｕｔｅｎｓｏｌ  ＴＯ１５等、ＢＡＳＦ社製）；炭素数１２〜１４の第２級アルコールに対して、１２モル相当又は１５モル相当のエチレンオキシドを付加したもの（商品名：ソフタノール（登録商標）１２０、ソフタノール１５０、株式会社日本触媒製）；ヤシ脂肪酸メチル（ラウリン酸／ミリスチン酸＝８／２）に対して、アルコキシル化触媒を用いて、１５モル相当のエチレンオキシドを付加したもの（ポリオキシエチレンヤシ脂肪酸メチルエステル（ＥＯ１５モル））等が挙げられる。
これらの（Ｄ）成分は、１種単独で用いられてもよいし、２種以上が組み合わされて用いられてもよい。
【００５８】
液体洗浄剤組成物中の（Ｃ）成分以外のノニオン界面活性剤の含有量は、液体洗浄剤組成物の総質量に対して、５〜５０質量％が好ましく、１０〜３０質量％がより好ましく、１３〜２３質量％がさらに好ましい。含有量が上記範囲内であれば、洗浄性能がより高まり、かつ被洗物のふんわり感を低下させにくい。
また、液体洗浄剤組成物中のノニオン界面活性剤の総量（（Ｃ）成分との合計量）は、液体洗浄剤組成物の総質量に対して、５〜５０質量％が好ましく、１０〜４０質量％がより好ましい。上記範囲内であれば、被洗物のふんわり感が高まりやすく、かつ洗浄性能がより高まりやすい。
【００５９】
［カチオン界面活性剤］
カチオン界面活性剤としては、本発明の効果を有する限り特に限定されないが、例えば、アルキルトリメチルアンモニウム塩、ジアルキルジメチルアンモニウム塩、アルキルベンジルジメチルアンモニウム塩、アルキルピリジニウム塩、アルキルアミドアミン及びその塩等が挙げられる。これらの中でも、被洗物のふんわり感をより高めやすくなる観点から、下記式（ｅ１）で表されるアルキルアミドアミン及びその塩から選択される少なくとも１つの化合物（以下、（ｅ１）成分ということもある）が好ましい。
また、カチオン界面活性剤は、上記のカチオン界面活性剤が１種単独で用いられてもよく、２種以上が組み合わされて用いられてもよい。
【００６０】
【化７】
2018184552.tif 000008
【００６１】
式（ｅ１）中、Ｒ８１は、炭素数９〜２３の直鎖状の炭化水素基又は炭素数９〜２３の分岐鎖状の炭化水素基である。
Ｒ８１の炭素数は、１５〜２１が好ましい。上記範囲内であれば、被洗物のふんわり感が高まりやすく、かつ液安定性がより良好となりやすい。
Ｒ８１は、飽和炭化水素基でもよく、不飽和炭化水素基でもよい。
Ｒ８２は、炭素数１〜４の直鎖状のアルキレン基又は炭素数１〜４の分岐鎖状のアルキレン基である。
Ｒ８２の炭素数は、２〜３が好ましい。上記範囲内であれば、被洗物のふんわり感が高まりやすく、かつ液安定性がより良好となりやすい。
Ｒ８３及びＲ８４は、それぞれ独立して、炭素数１〜４の直鎖状のアルキル基もしくは炭素数１〜４の分岐鎖状のアルキル基、炭素数１〜４の直鎖状のヒドロキシアルキル基もしくは炭素数１〜４の分岐鎖状のヒドロキシアルキル基、又はオキシエチレン基の平均繰り返し数が１〜２５の（ポリ）オキシエチレン基である。
【００６２】
このような（ｅ１）成分としては、例えば、ラウリン酸ジメチルアミノプロピルアミド、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド等の長鎖脂肪族アミドジアルキル３級アミン又はその塩；パルミテートエステルプロピルジメチルアミン、ステアレートエステルプロピルジメチルアミン等の脂肪族エステルジアルキル３級アミン又はその塩；パルミチン酸ジエタノールアミノプロピルアミド、ステアリン酸ジエタノールアミノプロピルアミド等の３級アミン及びその塩等が挙げられる。中でも、ミリスチン酸ジメチルアミノプロピルアミド、パルミチン酸ジメチルアミノプロピルアミド、ステアリン酸ジメチルアミノプロピルアミド、ベヘニン酸ジメチルアミノプロピルアミド、オレイン酸ジメチルアミノプロピルアミド又はその塩が好ましい。
（ｅ１）成分の塩としては、上記のアクリルアミドを酸で中和して得られる塩等が挙げられる。中和に用いられる酸としては、例えば、塩酸、硫酸、硝酸、リン酸、グリコール酸、乳酸、クエン酸、ポリアクリル酸、パラトルエンスルホン酸、クメンスルホン酸等が挙げられる。これらの酸は、１種単独で用いられてもよいし、２種以上が組み合わされて用いられてもよい。
また、（ｅ１）成分は、１種単独で用いられてもよいし、２種以上が組み合わされて用いられてもよい。
【００６３】
（ｅ１）成分は市販品を用いてもよく、以下の方法により製造されたものであってもよい。例えば、長鎖脂肪族アミドジアルキル３級アミン等の脂肪族アミドアルキル３級アミンは、以下の方法により製造される。
脂肪酸又は脂肪酸誘導体（脂肪酸低級アルキルエステル、動物性油脂もしくは植物性油脂等）と、ジアルキル（又はアルカノール）アミノアルキルアミンとを縮合反応させ、その後、未反応のジアルキル（又はアルカノール）アミノアルキルアミンを減圧又は窒素ブローにて留去することにより脂肪族アミドアルキル３級アミンを製造できる。
ここで、脂肪酸又は脂肪酸誘導体としては、ミリスチン酸、パルミチン酸、ステアリン酸、オレイン酸、ベヘニン酸、エルカ酸、１２−ヒドロキシステアリン酸、ヤシ油脂肪酸、綿実油脂肪酸、とうもろこし油脂肪酸、牛脂脂肪酸、パーム核油脂肪酸、大豆油脂肪酸、アマニ油脂肪酸、ひまし油脂肪酸、オリーブ油脂肪酸等の植物油又は動物油脂肪酸や、これらのメチルエステル、エチルエステル、グリセライド等が挙げられ、中でも、パルミチン酸、ステアリン酸、オレイン酸、ベヘニン酸等が好ましい。これら脂肪酸又は脂肪酸誘導体は、１種単独で用いられてもよく、２種以上が組み合わされて用いられてもよい。
ジアルキル（又はアルカノール）アミノアルキルアミンとしては、例えば、ジメチルアミノプロピルアミン、ジメチルアミノエチルアミン、ジエチルアミノプロピルアミン、ジエチルアミノエチルアミン等が挙げられ、中でも、ジメチルアミノプロピルアミンが好ましい。
（ｅ１）成分の市販品としては、例えば、リポミン（登録商標）ＡＰＡ１６８−６５Ｅ（ライオン・スペシャリティ・ケミカルズ株式会社製）等が挙げられる。
【００６４】
液体洗浄剤組成物がカチオン界面活性剤を含む場合、その含有量は、液体洗浄剤組成物の総質量に対して、０．１〜１０質量％が好ましく、０．５〜５質量％がより好ましい。カチオン界面活性剤の含有量が上記範囲内であれば、被洗物のふんわり感がより高まりやすい。
【００６５】
［アニオン界面活性剤］
アニオン界面活性剤としては、本発明の効果を有する限り特に限定されず、公知のアニオン界面活性剤を適宜選択して用いることができる。
このようなアニオン界面活性剤としては、例えば、直鎖アルキルベンゼンスルホン酸又はその塩、α−オレフィンスルホン酸塩、直鎖又は分岐鎖のアルキル硫酸エステル塩、アルキルエーテル硫酸エステル塩又はアルケニルエーテル硫酸エステル塩、アルキル基を有するアルカンスルホン酸塩、α−スルホ脂肪酸エステル塩、高級脂肪酸塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
これらは１種単独で用いられてもよく、２種以上が組み合わされて用いられてもよい。
【００６６】
直鎖アルキルベンゼンスルホン酸又はその塩としては、直鎖アルキル基の炭素数が８〜１６のものが好ましく、炭素数１０〜１４のものがより好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖状のアルキル基もしくは炭素数１０〜２０の分岐鎖状のアルキル基、又は炭素数１０〜２０の直鎖状のアルケニル基もしくは炭素数１０〜２０の分岐鎖状のアルケニル基を有し、平均１〜１０モルのエチレンオキシドと、平均０〜６モルのプロピレンオキシドを付加したポリオキシアルキレンアルキルエーテル硫酸エステル塩又はポリオキシアルキレンアルケニルエーテル硫酸エステル塩が好ましい。また、この中でも、オキシエチレン基の一部がオキシプロピレン基であってもよい、平均１〜５モルのポリオキシエチレン（プロピレン）アルキルエーテル硫酸エステル塩が好ましい。
アルカンスルホン酸塩としては、アルキル基の炭素数が１０〜２０のものが好ましく、１４〜１７のものがより好ましい。中でも、前記アルキル基が２級アルキル基であるもの（即ち、２級アルカンスルホン酸塩）がさらに好ましい。
α−スルホ脂肪酸エステル塩としては、脂肪酸残基の炭素数が１０〜２０のものが好ましい。
高級脂肪酸塩としては、脂肪酸の炭素数が１０〜１８のものが好ましい。
これらの成分の中でも、直鎖アルキルベンゼンスルホン酸又はその塩、アルカンスルホン酸塩、ポリオキシエチレンアルキルエーテル硫酸エステル塩、α−オレフィンスルホン酸塩、及び高級脂肪酸塩から洗濯される少なくとも１つのアニオン界面活性剤が好ましい。
【００６７】
また、上記以外の他のアニオン界面活性剤を用いてもよい。その他のアニオン界面活性剤としては、例えば、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤、アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。
これらの成分は、１種単独で用いられてもよく、２種以上が組み合わされて用いられてもよい。
【００６８】
液体洗浄剤組成物がアニオン界面活性剤を含む場合、その含有量は、液体洗浄剤組成物の総質量に対して、０．１〜１０質量％が好ましく、０．５〜５質量％がより好ましい。アニオン界面活性剤の含有量が上記範囲内であれば、繊維の水への浸透性が高くなりやすく、かつ洗浄性能がより高まる。
【００６９】
［両性界面活性剤］
両性界面活性剤としては、アルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤等が挙げられる。これらは１種単独で用いられてもよく、２種以上が組み合わされて用いられてもよい。
【００７０】
本発明の液体洗浄剤組成物における界面活性剤の総量（（Ｃ）成分及び任意界面活性剤の合計量）は、被洗物のふんわり感の向上、水への浸透性、洗浄性能の観点から、液体洗浄剤組成物の総質量に対して、１０〜５０質量％が好ましく、１５〜３０質量％がより好ましい。
【００７１】
［機能付与剤］
機能付与剤としては、シリコーン化合物が挙げられる。シリコーン化合物を含有することで、被洗物のふんわり感をより高めることができる。例えば、アミノ変性シリコーン、アミノポリエーテル変性シリコーン、アミド変性シリコーン、アミド・ポリエーテル変性シリコーン、アルキル変性シリコーン、アルキル・ポリエーテル変性シリコーン、ポリエーテル変性シリコーン等が挙げられる。中でも、被洗物のふんわり感向上の観点からは、ポリエーテル変性シリコーン、アミノポリエーテル変性シリコーンが好ましい。
これらの成分は、１種単独で用いられてもよいし、２種以上が組み合わされて用いられてもよい。
【００７２】
ポリエーテル変性シリコーンとしては、例えば、下記式（ＩＩＩ）で表される化合物であることが好ましい。
【００７３】
【化８】
2018184552.tif 000009
【００７４】
（式（ＩＩＩ）中、Ｒ９１は、炭素数１〜４の直鎖状のアルキレン基もしくは炭素数１〜４の分岐鎖状のアルキレン基、又は炭素数２〜４の直鎖状のアルケニル基もしくは炭素数２〜４の分岐鎖状のアルケニレン基を表す。Ｒ９２は、炭素数１〜４の直鎖状のアルキル基もしくは炭素数１〜４の分岐鎖状のアルキル基、炭素数２〜４の直鎖状のアルケニル基もしくは炭素数２〜４の分岐鎖状のアルケニル基、又は水素原子を表す。Ｎは、ポリオキシアルキレン基を示す。ｔ、ｕが付された各構成単位の順序は異なっていてもよい。ｔは１０〜１００００の数、ｕは１〜１０００の数である。）
ポリエーテル変性シリコーンの市販品としては、例えば、東レ・ダウコーニング株式会社製のＳＨ３７７２Ｍ（比重：１．０３）、ＳＨ３７７３Ｍ（比重：１．０４）、ＳＨ３７７５Ｍ（比重：１．０１）、ＣＦ１１８８Ｎ（いずれも商品名）、信越化学株式会社製のＫＦ−６０１１（比重：１．０６）、ＫＦ−６０１２（比重：１．０３）、Ｆ−６０１３（比重：１．０３）、ＫＦ−６０１５（比重１．００）等が挙げられる。
これらの成分は、１種単独で用いられてもよいし、２種以上が組み合わされて用いられてもよい。
【００７５】
アミノポリエーテル変性シリコーンとは、少なくとも一つのアミノ変性基と、ポリエーテル変性基とを構造内に有するシリコーンである。より具体的には、アミノ基により変性された側鎖、及びアミノ基により変性された末端から選択される少なくとも１つのアミノ変性基と、ポリエーテル基により変性された側鎖又はポリエーテル基により変性された末端とを、構造内に併せ持つシリコーン化合物である。なかでも、変性された側鎖を有するシリコーンが好ましい。
アミノポリエーテル変性シリコーンの市販品としては、例えば、東レ・ダウコーニング株式会社製の「ＢＹ１６−８７８」、「ＢＹ１６−８９１」、「ＢＹ１６−８９３」、「ＦＶ２０９０−０１」、「ＳＩＬＳＴＹＬＥ（登録商標）１０４」等、信越化学工業株式会社製の「ＫＦ−８７７」、「ＫＦ−８８９」、「Ｘ−２２−３９３９Ａ」等、旭化成ワッカーシリコーン株式会社製の「ＷｅｔＳｏｆｔ（登録商標）ＣＴＡ」、「ＷｅｔＳｏｆｔ  ＡＥ２００」、「ＷｅｔＳｏｆｔ  ＮＥ８１０」、「ＷｅｔＳｏｆｔ  ＮＥ８２０」、「ＷｅｔＳｏｆｔ  ＷＰ２０１」等が挙げられる。
これらは１種単独で用いられてもよく、２種以上が組み合わされて用いられてもよい。
【００７６】
上記以外の機能付与剤の市販品としては、例えば、東レ・ダウコーニング株式会社製のＳＦ８４１７、ＳＦ８４１８、ＤＣ２５０１、ＤＣ２５０２、ＤＣ２５０３、ＤＣ５８０、ＡＭＳ−Ｃ３０、ＳＦ８４１７、ＢＹ１６−８３７、ＢＹ１６−９０６、ＦＺ−２２０３、ＦＺ−３７８９（いずれも商品名）、日本ユニカー株式会社製のＡＢＮ  ＳＩＬＷＥＴ  ＦＺ−Ｆ１−００９−５４、ＡＢＮ  ＳＩＬＷＥＴ  ＦＺ−２２２２（いずれも商品名）等が挙げられる。
これらの市販品は、１種単独で用いられてもよいし、２種以上が組み合わされて用いられてもよい。
【００７７】
本発明の液体洗浄剤組成物が機能付与剤を含む場合、その含有量は、液体洗浄剤組成物の総質量に対して、０．０１〜５質量％が好ましく、０．１〜５質量％がより好ましく、０．１〜３質量％がさらに好ましい。機能付与剤の含有量が上記範囲内であれば、ふんわり感がより高まり、かつ液安定性より良好となる。
【００７８】
［水混和性有機溶剤］
本発明の液体洗浄剤組成物は、水混和性有機溶剤（以下（Ｆ）成分ともいう）を含有することが好ましい。
水混和性有機溶剤としては、炭素数２〜４の一価アルコール、炭素数２〜４の多価アルコール、下記式（ｆ−１）で表されるグリコールエーテル系溶剤、及び下記式（ｆ−２）で表される溶剤からなる群から選択される少なくとも１つの溶剤であることが好ましい。
【００７９】
Ｒ１０１−（ＯＲ１０２）ｍＯＨ  ・・・（ｆ−１）
（式（ｆ−１）中、Ｒ１０１は炭素数１〜６のアルキル基又はフェニル基を表し、Ｒ１０２は炭素数２〜４のアルキレン基を表す。また、ｍはＯＲ１０２の平均付加モル数を表し１〜５の数である。）
【００８０】
ＣＨ３ＯＣＲ１０３（ＣＨ３）ＣＨＲ１０４ＣＨＲ１０５ＯＲ１０６  ・・・（ｆ−２）
（式（ｆ−２）中、Ｒ１０３〜Ｒ１０５は、それぞれ独立して、水素原子又は炭素数１〜３のアルキル基を表し、Ｒ１０６は水素原子又はアセチル基を表す。）
【００８１】
炭素数２〜４の１価アルコールとしては、たとえば、エタノール、１−プロパノール、２−プロパノール、１−ブタノール等が挙げられる。
炭素数２〜４の多価アルコールとしては、エチレングリコール、プロピレングリコール、ブチレングリコール、グリセリン等が挙げられる。
前記式（ｆ−１）で表されるグリコールエーテル系溶剤としては、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
前記式（ｆ−２）で表される溶剤としては、３−メトキシメタノール、３−メトキシ−３−メチルブタノール、３−メトキシ−３−エチルブタノール、３−メトキシ−３−プロピルブタノール、３−メトキシ−２−メチルブタノール、３−メトキシ−２−エチルブタノール、３−メトキシ−２−プロピルブタノール、３−メトキシ−１−メチルブタノール、３−メトキシ−１−エチルブタノール、３−メトキシ−１−プロピルブタノール、３−メトキシブチルアセテート、３−メトキ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテート等が挙げられる。
これらのなかでも、（Ｆ）成分としては、液体洗浄剤組成物の流動性、臭気がより穏やかである点、また原料の入手のしやすさから、エタノール、プロピレングリコール、ジエチレングリコールモノブチルエーテル、３−メトキシ−３−メチルブタノールが好ましい。
これらの成分は、１種単独で用いられてもよく、２種以上が組み合わされて用いられてもよい。
【００８２】
（Ｆ）成分の含有量は、液体洗浄剤組成物の総質量に対して０．５〜２５質量％が好ましく、１〜２３質量％がより好ましく、１〜２０質量％がさらに好ましい。上記下限値以上であれば、液体洗浄剤組成物の液流動性がより良好となり、ゲル化しにくく、使用性が高まりやすい。
なお、本発明において、水混和性有機溶剤とは、２５℃のイオン交換水１Ｌに５０ｇ以上溶解する有機溶剤をいう。
【００８３】
［安定化剤］
安定化剤は、液体洗浄剤組成物の液安定性をより高めるために用いられる。このような安定化剤としては、トリエチレングリコール、テトラエチレングリコール、平均分子量２００〜５０００のポリエチレングリコール等のグリコール類、パラトルエンスルホン酸、クメンスルホン酸塩、安息香酸塩（防腐剤としての効果もある）、尿素等、いわゆる減粘剤又は可溶化剤が挙げられる。
液体洗浄剤組成物が安定化剤を含む場合、その含有量は、液体洗浄剤組成物の総質量に対して０．０１〜１５質量％が好ましい。
【００８４】
［金属イオン補足剤］
金属イオン捕捉剤としては、マロン酸、コハク酸、リンゴ酸、ジグリコール酸、酒石酸、クエン酸等が挙げられる。金属イオン捕捉剤の含有量は、液体洗浄剤組成物の総質量に対して、０．１〜２０質量％が好ましい。金属イオン捕捉剤は１種単独で用いられてもよく、２種以上が組み合わされて用いられてもよい。
【００８５】
［酸化防止剤］
酸化防止剤としては、ブチルヒドロキシトルエン、ジスチレン化クレゾール、亜硫酸ナトリウム及び亜硫酸水素ナトリウム等を、例えば液体洗浄剤組成物の総質量に対して、０．０１〜２質量％含むことができる。酸化防止剤は、１種単独で用いられてもよく、２種以上が組み合わされて用いられてもよい。
【００８６】
［防腐剤］
防腐剤としては、ケーソン（登録商標）ＣＧ（商品名、ダウ・ケミカル社製）、アクチサイド（登録商標）ＭＢＳ（商品名、ソー・ジャパン社製）、ＮＩＰＡＣＩＤＥ（登録商標）  ＢＩＴ  ２０（商品名、クラリアント社製）等が挙げられる。防腐剤は、例えば、液体洗浄剤組成物の総質量に対して０．００１〜１質量％含有できる。
【００８７】
［酵素］
酵素としては、例えば、プロテアーゼ、アミラーゼ、リパーゼ、セルラーゼ、マンナナーゼ等が挙げられる。
プロテアーゼとしては、プロテアーゼ製剤としてノボザイムズ社から入手できる、Ｓａｖｉｎａｓｅ（登録商標）１６Ｌ、Ｓａｖｉｎａｓｅ  Ｕｌｔｒａ  １６Ｌ、Ｓａｖｉｎａｓｅ  Ｕｌｔｒａ  １６ＸＬ、Ｅｖｅｒｌａｓｅ（登録商標）  １６Ｌ  ＴｙｐｅＥＸ、Ｅｖｅｒｌａｓｅ  Ｕｌｔｒａ  １６Ｌ、Ｅｓｐｅｒａｓｅ（登録商標）  ８Ｌ、Ａｌｃａｌａｓｅ（登録商標）  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ（登録商標）  Ｕｌｔｒａ  ２．５Ｌ、Ｌｉｑｕａｎａｓｅ  Ｕｌｔｒａ  ２．５ＸＬ、Ｃｏｒｏｎａｓｅ（登録商標）  ４８Ｌ（いずれも商品名）、ジェネンコア社から入手できるＰｕｒａｆｅｃｔ（登録商標）  Ｌ、Ｐｕｒａｆｅｃｔ  ＯＸ、Ｐｒｏｐｅｒａｓｅ  Ｌ（いずれも商品名）等が挙げられる。
アミラーゼとしては、アミラーゼ製剤としてノボザイムズ社から入手できる、Ｔｅｒｍａｍｙｌ（登録商標）  ３００Ｌ、Ｔｅｒｍａｍｙｌ  Ｕｌｔｒａ  ３００Ｌ、Ｄｕｒａｍｙｌ（登録商標）  ３００Ｌ、Ｓｔａｉｎｚｙｍｅ（登録商標）  １２Ｌ、Ｓｔａｉｎｚｙｍｅ  Ｐｌｕｓ  １２Ｌ（いずれも商品名）、ジェネンコア社から入手できる、Ｍａｘａｍｙｌ（商品名）、天野製薬株式会社から入手できるプルラナーゼアマノ（商品名）、生化学工業株式会社から入手できるＤＢ−２５０（商品名）等が挙げられる。
リパーゼとしては、リパーゼ製剤としてノボザイムズ社から入手できるＬｉｐｅｘ（登録商標）  １００Ｌ、Ｌｉｐｏｌａｓｅ（登録商標）  １００Ｌ（いずれも商品名）等が挙げられる。
セルラーゼとしては、セルラーゼ製剤としてノボザイムズ社から入手できる、Ｅｎｄｏｌａｓｅ（登録商標）  ５０００Ｌ、Ｃｅｌｌｕｚｙｍｅ（登録商標）  ０．４Ｌ、Ｃａｒｚｙｍｅ（登録商標）  ４５００Ｌ、Ｃａｒｚｙｍｅ  Ｐｒｅｍｉｕｍ４５００Ｌ（いずれも商品名）等が挙げられる。
マンナナーゼとしては、マンナナーゼ製剤としてノボザイムズ社から入手できるＭａｎｎａｗａｙ（登録商標）  ４Ｌ（商品名）等が挙げられる。
酵素は、１種単独で用いられてもよく、２種以上が組み合わされて用いられてもよい。酵素の含有量は、例えば、液体洗浄剤組成物の総質量に対して０．１〜３質量％が好ましい。
【００８８】
［着香剤］
本発明の液体洗浄剤組成物は、必要に応じて（Ｂ）成分以外の着香剤を含んでいてもよい。（Ｂ）成分以外の着香剤としては、例えば、特開２００１−１８１６９２号公報に記載の任意香料等が挙げられる。
本発明の液体洗浄剤組成物が（Ｂ）成分以外の着香剤を含む場合、その含有量は、被洗物のふんわり感の向上と、香りが強すぎることによる嗜好性の低下を防ぐ観点から、０．０１〜１質量％が好ましい。
【００８９】
［着色剤］
着色剤としては、例えば、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料が挙げられる。
着色剤の含有量は、液体洗浄剤組成物の総質量に対して、０．００００５〜０．００５質量％が好ましい。
【００９０】
［乳濁剤］
乳濁剤としては、ポリスチレンエマルション、ポリ酢酸ビニルエマルション等が挙げられ、通常、固形分３０〜５０質量％のエマルションが好適に用いられる。エマルションの乳濁剤としては、ポリスチレンエマルション（商品名：サイビノール（登録商標）ＲＰＸ−１９６  ＰＥ−３、固形分４０質量％、サイデン化学株式会社製）等が挙げられる。
乳濁剤の含有量は、液体洗浄剤組成物の総質量に対して、０．０１〜０．５質量％が好ましい。
【００９１】
［天然エキス］
天然エキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキス等が挙げられる。これらは１種単独で用いられてもよく、２種以上が組み合わされて用いられてもよい。
天然エキスの含有量は、液体洗浄剤組成物の総質量に対して０〜０．５質量％が好ましい。
【００９２】
［ｐＨ調整剤］
ｐＨ調整剤としては、例えば、硫酸、塩酸等の酸性化合物；モノエタノールアミン、ジエタノールアミン、トリエタノールアミン等のアルカノールアミン、水酸化ナトリウム、水酸化カリウム等のアルカリ性化合物が挙げられる。抑制剤の経時安定性を高める観点から、ｐＨ調整剤としては、硫酸、水酸化ナトリウム、水酸化カリウム、アルカノールアミンが好ましく、硫酸、水酸化ナトリウムがより好ましい。
これらのｐＨ調整剤は、１種単独で用いられてもよいし、２種以上が組み合わされて用いられてもよい。
ただし、上述した各成分のみで液体洗浄剤組成物のｐＨが所望の値となる場合は、ｐＨ調整剤を用いなくてもよい。
【００９３】
［洗浄性能向上剤・安定性向上剤］
本発明の液体洗浄剤組成物は、洗浄力向上や安定性向上等を目的として、モノエタノールアミン、ジエタノールアミン、トリエタノールアミン、Ｎ−メチル−ジエタノールアミン、Ｎ，Ｎ−ジメチルモノエタノールアミン等のアルカノールアミン等のアルカリビルダー、ハイドロトロープ剤、蛍光剤、移染防止剤、再汚染防止剤（例えばマレイン酸とオレフィン系モノマーとの共重合体、ポリビニルピロリドン、カルボキシメチルセルロース等）等の成分を含有できる。
【００９４】
なお、（Ａ）〜（Ｃ）成分及び任意成分の合計量は、１００質量％を超えない。
【００９５】
本発明の液体洗浄剤組成物は、２５℃におけるｐＨが６．０〜８．５であることが好ましく、６．５〜７．５ことがより好ましい。ｐＨがこのような範囲にあると、羽毛製品等のタンパク繊維の風合い劣化を防ぐ効果が得られやすくなる。なお、上記のｐＨの値は、ガラス電極式水素イオン濃度指示計（東亜ディーケーケー株式会社製）を用いて２５℃で１分間静置後に測定した際の値である。
液体洗浄剤組成物のｐＨは、必要に応じて、前述のｐＨ調整剤を配合することにより調整できる。
【００９６】
本発明の液体洗浄剤組成物は、１０〜１０００ｍＰａ・ｓが好ましい。液体洗浄剤組成物の粘度が上記範囲内であれば、使用時の嗜好性が得られやすい。粘度は、Ｂ型粘度計（ＴＯＫＩＭＥＣ社製）を用いて、測定温度２５℃、回転数６０ｒｐｍの条件で３０秒後に測定される値である。
【００９７】
（製造方法）
本発明の液体洗浄剤組成物は、従来公知の製造方法によって製造される。
液体洗浄剤組成物の製造方法は、例えば、分散媒である水に、（Ａ）〜（Ｄ）成分及び必要に応じてその他の成分を分散することで得られる。
【００９８】
（使用方法）
液体洗浄剤組成物の使用方法としては、例えば、液体洗浄剤組成物を単独で、又は公知の漂白剤や柔軟剤と共に水に入れて洗浄液とし、この洗浄液に被洗物を入れ洗濯機で洗浄する方法、又は前記洗浄液中で被洗物を手洗いで洗浄する方法、前記洗浄液もしくは液体洗浄剤組成物そのものを被洗物に塗布し、これを洗濯機で洗浄する方法、又は手洗いで洗浄する方法等が挙げられる。
被洗物としては、例えば、羽毛製品、衣類、布帛、シーツ、カーテン、絨毯等の繊維製品が挙げられる。
本発明の液体洗浄剤組成物は、被洗物のふんわり感を、洗濯処理を施す前よりも高めることができる。そのため、羽毛製品等の洗濯処理に好適に用いることができる。
すなわち、本発明の１つの態様は、本発明の液体洗浄剤組成物を用いた、羽毛製品を含む被洗物の洗濯処理方法である。また、前記洗濯処理方法は、本発明の液体洗浄剤組成物を含む洗浄液中に前記被洗物を浸漬させた後、手洗いによって洗浄する工程を含むことがより好ましい。
前記洗浄液中の液体洗浄剤組成物の含有量は、特に限定されない。水に対する液体洗浄剤組成物の添加量は、例えば、水４Ｌ当たり、１０〜４０ｍＬが好ましい。
【００９９】
本発明の液体洗浄剤組成物は、（Ａ）〜（Ｃ）成分と、水とを含み、（Ａ）成分が、前記式（Ａ１）及び前記式（Ａ２）で表される化合物からなる群より選択される少なくとも１つの水溶性ポリマーであり、（Ｂ）成分が（Ｂ−ｉｉ）成分であることが好ましい。前記（Ａ）成分の含有量は、液体洗浄剤組成物の総質量に対して、０．３〜１質量％であることが好ましい。
【実施例】
【０１００】
以下、実施例を示して本発明を詳細に説明するが、本発明は以下の記載によって限定されるものではない。
【０１０１】
（使用原料）
表１の略号は以下を表す。
＜（Ａ）成分＞
Ａ−１： ＴｅｘＣａｒｅ  ＳＲＮ−１７０Ｃ（商品名、クラリアントジャパン社製、質量平均分子量：２０００〜３０００、ｐＨ（２０℃の５質量％水溶液）＝４、粘度（２０℃）：３００ｍＰａ・ｓ）。ＴｅｘＣａｒｅ  ＳＲＮ−１７０Ｃは、ＴｅｘＣａｒｅ  ＳＲＮ−１００（商品名、クラリアントジャパン社製、質量平均分子量：２０００〜３０００）の７０質量％水溶液である。なお、ＴｅｘＣａｒｅ  ＳＲＮ−１００は、式（Ａ１）で表される化合物に相当する。
【０１０２】
＜（Ｂ）成分＞
Ｂ−ｉ−１：１−（２，６，６−トリメチル−３−シクロヘキセニル）−２−ブテン−１−オン（フィルメニッヒ社製）。
Ｂ−ｉｉ−１：３−（ドデシルチオ）−１−（２，６，６−トリメチルシクロヘキサ−３−エン−１−イル）−１−ブタノン。特表２００５−５１１７１０号公報の例４に記載の化合物。上記式（Ｉ）における、Ｙが化学式（Ｙ−１）（３，４位間に二重結合を有する）で表される基、Ｇがドデシル基、Ｑが水素原子である化合物。
Ｂ−ｉｉ−２：４−（ドデシルチオ）−４−（２，６，６−トリメチルシクロヘキサ−２−エン−１−イル）−２−ブタノン。原料としてドデカンチオール（東京化成工業株式会社製）とβヨノン（ヴェ・マンフィス香料株式会社製）とを用い、特表２００５−５１１７１０号公報の例４に記載の合成方法と同様にして合成した化合物。上記式（Ｉ）における、Ｙが化学式（Ｙ−２）（１，２位間に二重結合を有する）で表される基、Ｇがドデシル基、Ｑが水素原子である化合物。
【０１０３】
＜（Ｃ）成分＞
Ｃ−１：Ｌｕｔｅｎｓｏｌ  ＴＯ−７（商品名、Ｃ１３Ｈ２７Ｏ（ＣＨ２ＣＨ２Ｏ）７Ｈ（分岐型アルコールにエチレンオキシドを平均７モル付加した化合物）、ＢＡＳＦ社製）。
【０１０４】
＜共通成分（Ｋ）＞
機能付与剤：ポリエーテル変性シリコーン（商品名：ＣＦ１１８８Ｎ、東レ・ダウコーニング株式会社製。液体洗浄剤組成物の総質量に対して、０．２５質量％配合）。
Ｄ−１（（Ｃ）成分以外のノニオン界面活性剤）：天然アルコール（ＣＯ−１２７０（商品名、プロクター・アンド・ギャンブル社製））に対して、平均１２モル相当のエチレンオキシドを付加したものであり、下記の合成方法により合成されたもの。液体洗浄剤組成物の総質量に対して、１２質量％配合。
（Ｄ−１の合成方法）
天然アルコール（ＣＯ−１２７０）を２２４．４ｇと、３０質量％ＮａＯＨ水溶液２．０ｇとを耐圧型反応容器中に仕込み、容器内を窒素置換した。次に温度１００℃、圧力２．０ｋＰａ以下で３０分間脱水した後、容器内を１６０℃まで昇温して反応液を得た。次いで、反応液を攪拌しながらエチレンオキシド（ガス状）６１０．２ｇを、反応液中に徐々に加えた。この時、反応温度が１８０℃を超えないように添加速度を調節しながら、エチレンオキシドを吹き込み管で加えた。
エチレンオキシドの添加終了後、温度１８０℃、圧力０．３ＭＰａ以下で３０分間熟成した後、温度１８０℃、圧力６．０ｋＰａ以下で１０分間、未反応のエチレンオキシドを留去した。
次に、温度を１００℃以下に冷却した後、反応物の１質量％水溶液のｐＨが約７になるように、７０質量％ｐ−トルエンスルホン酸を加えて中和し、Ｄ−１を得た。
カチオン界面活性剤：アルキルアミドアミン（（ｅ１）成分）（商品名：リポミンＡＰＡ１６８−６５Ｅ、脂肪酸（Ｃ１６／Ｃ１８）ジメチルアミノプロピルアミド、ステアリン酸／パルミチン酸の質量比：７／３、ライオン・スペシャリティ・ケミカルズ株式会社製。液体洗浄剤組成物の総質量に対して、１．２５質量％配合）。
アニオン界面活性剤：直鎖アルキルベンゼンスルホン酸（商品名：ライポンＬＨ−２００（ＬＡＳ）、炭素数１０〜１４、平均分子量３２２、ライオン株式会社製。液体洗浄剤組成物の総質量に対して、２．０質量％配合）。高級脂肪酸塩（商品名：椰子脂肪酸、日油株式会社製。液体洗浄剤組成物の総質量に対して、０．５質量％配合）。
安定化剤：安息香酸ナトリウム（亞合成化学株式会社製。液体洗浄剤組成物の総質量に対して、０．５質量％配合）。ポリエチレングリコール（商品名：ＰＥＧ＃１０００−Ｌ６０、ライオン株式会社製。液体洗浄剤組成物の総質量に対して、１．５質量％配合）。
金属イオン補足剤：クエン酸（商品名：液体クエン酸、ライオン・スペシャリティ・ケミカルズ株式会社製。液体洗浄剤組成物の総質量に対して、０．１３質量％配合）。
水混和性有機溶剤：９５質量％エタノール（商品名：特定アルコール９５度合成、日本アルコール販売株式会社製。液体洗浄剤組成物の総質量に対して、２．４質量％配合。
防腐剤：イソチアゾロン液（５−クロロ−２−メチル−４−イソチアゾリン−３−オン／２−メチル−４−イソチアゾリン−３−オン／マグネシウム塩／水混合液）（商品名：ケーソンＣＧ、ダウ・ケミカル社製。液体洗浄剤組成物の総質量に対して、０．０１質量％配合）。１，２−ベンゾイソチアゾリン−３−オン（商品名：ＮＩＰＡＣＩＤＥ  ＢＩＴ  ２０、クラリアントジャパン株式会社製。液体洗浄剤組成物の総質量に対して、０．０２質量％配合）。
着香剤：香料（特開２００１−１８１６９２号公報に記載に記載の（Ｂ）成分以外の香料。液体洗浄剤組成物の総質量に対して、０．３質量％配合）。
ｐＨ調整剤：水酸化ナトリウム（鶴見曹達株式会社製。必要量）。
分散媒：水（バランス）。
なお、水の含有量「バランス」は、液体洗浄剤組成物を全体で１００質量％とするのに必要な量である。また、ｐＨ調整剤の含有量「必要量」は、液体洗浄剤組成物を表中のｐＨ（２５℃）にするのに要した量である。
【０１０５】
（実施例１〜１２、比較例１〜２）
表１に示す組成に従い、（Ａ）〜（Ｃ）成分及び任意成分と水とを全て攪拌混合し、表中のｐＨとなるように必要に応じてｐＨ調整剤を添加して、液体洗浄剤組成物を得た。
なお、表中の配合量は純分換算値である。また、表中に配合量が記載されていない成分は、配合されていない。なお、実施例１のみ、任意成分中のＤ−１の配合量を１７質量％とした。
【０１０６】
＜評価方法＞
（ふんわり感の評価）
３０Ｌ洗濯桶に２５℃の３°ＤＨ硬水を４Ｌ入れ、各例の液体洗浄剤組成物１０ｇを入れて洗浄液を調製した。前記洗浄液中に市販のダウンジャケット（ＵＮＩＱＬＯ製、「ウルトラライトダウンジャケット  長袖」（商品名）、中わた：ダウン９０％、フェザー１０％、表地：ナイロン１００％）１枚を入れた。その後、洗浄液中で４０回押し洗いし、その後二槽式洗濯機（三菱電機株式会社製、製品名：ＣＷ−Ｃ３０Ａ１−Ｈ１）に移し、１分間脱水処理を施した（洗浄処理）。続いて、３０Ｌの洗濯桶に２５℃の３°ＤＨ硬水を４Ｌ入れて、前記洗濯桶に脱水処理後のダウンジャケットを浸漬させて、４０回押し洗いを行い、前記二槽式洗濯機で１分間脱水処理を行った（すすぎ処理）。前記すすぎ処理工程を２回繰り返した。脱水処理後のダウンジャケットを３回振りさばいてから、直射日光の当たらない場所（室温２５℃、湿度６５％の恒温室）で一晩吊り干しして乾燥させた。
洗濯処理を施した後の上記のダウンジャケットに袖を通して着用し、着用した際に感じるボリューム感のあるふんわりとした風合いについて評価を行った。対照布は購入後の新品のダウンジャケット（洗濯処理を施していないもの）とし、一対比較によって官能評価を行った。なお、評価は専門パネラー６名によって、下記の判断基準に沿って行い、専門パネラー６人の平均値を算出した。また、専門パネラー６人の平均値が２点以上（Ｃ評価以上）のものを合格とした。結果を表１に示す。
［判断基準］
１点：対照布よりふんわりしていない。
２点：対照布と同等にふんわりしている。
３点：対照布よりややふんわりしている。
４点：対照布よりふんわりしている。
５点：対照布よりかなりふんわりしている。
［評価基準］
Ａ：専門パネラー６人の平均点が４点以上。
Ｂ：専門パネラー６人の平均点が３点以上４点未満。
Ｃ：専門パネラー６人の平均点が２点以上３点未満。
Ｄ：専門パネラー６人の平均点が２点未満。
【０１０７】
（液安定性の評価）
液安定性の評価を下記の評価基準に従って評価した。
透明のガラス瓶（広口規格びん、ＰＳ−ＮＯ．１１）に、各例の液体洗浄剤組成物１００ｍＬを充填し、蓋を閉めて密封した。この状態で２５℃の恒温槽内に７日間静置して保存した。
かかる保存の後、液の外観を目視で観察し、下記評価基準に従って各例の液体洗浄剤組成物の液安定性を評価した。結果を表１に示す。
［評価基準］
Ａ：ガラス瓶内に沈殿、白濁、分離が認められず、液に流動性がある。
Ｂ：ガラス瓶内に沈殿、白濁、分離又はゲル化が認められる。
【０１０８】
【表１】
2018184552.tif 000010
【０１０９】
表１に示すように、（Ａ）、（Ｂ）成分を併用した実施例１〜１２は、ダウンジャケット（羽毛製品）のふんわり感が洗濯処理を施す前よりも大きく向上していた。
一方、（Ａ）、（Ｂ）成分のいずれかの成分を含有しない比較例１〜２では、ふんわり感の評価結果がＤであり、洗濯処理によってふんわり感を向上させることはできなかった。
以上の結果から、本発明の液体洗浄剤組成物は、洗濯処理後の被洗物のふんわり感を、洗濯処理前と同等以上に高められることが確認された。